(57)【特許請求の範囲】
【請求項１】
第１電極、第２電極、及び、前記第１電極及び前記第２電極の間に設けられた帯電粒子を含む電気泳動素子を具備し、データ信号に応じた電圧を前記第１電極及び前記第２電極の間に印加する複数の画素回路と、
前記各画素回路を駆動する駆動部と、を備え、
前記各画素回路は、
所定電位の前記データ信号が所定回数だけ供給されたときに所定階調を表示し、
前記駆動部は、
第１期間において、表示領域内の各画素回路に対して、当該画素回路の指定階調に応じた前記データ信号を供給し、
前記第１期間の後の第２期間において、前記表示領域のうち書換領域内の各画素回路に対して、当該画素回路の指定階調に応じた前記データ信号を供給し、
前記書換領域内の領域であって前記第２期間において前記所定電位の前記データ信号が前記所定回数だけ供給される領域を第１領域とし、
前記書換領域の外側の領域のうち、前記第１領域に接する領域を含む、前記書換領域に接する領域を緩衝領域とし、
前記書換領域の外側の領域のうち前記緩衝領域に接する領域であって前記第１期間において前記所定電位の前記データ信号が前記所定回数だけ供給される領域を第２領域とし、
前記緩衝領域の一部の領域であって前記第２領域とは離間した領域を第１緩衝領域とし、
前記緩衝領域の一部の領域であって前記第１緩衝領域と前記第２領域の間の領域を第２緩衝領域とした場合に、
前記第２期間又は前記第２期間の前若しくは後に設けられる第３期間において、
前記第１緩衝領域内の各画素回路に対して、
前記所定電位の前記データ信号を、前記所定回数よりも少ない第１の回数だけ供給し、
前記第２緩衝領域内の各画素回路に対して、
前記所定電位の前記データ信号を、前記第１の回数よりも少ない第２の回数だけ供給する、
ことを特徴とする電気泳動装置。
【請求項２】
前記駆動部は、
前記第２期間又は前記第３期間において、
前記第１緩衝領域内の複数の画素回路のうち第１の割合の画素回路に対して、
前記所定電位の前記データ信号を、前記第１の回数だけ供給し、
前記第２緩衝領域内の複数の画素回路のうち前記第１の割合よりも小さい第２の割合の画素回路に対して、
前記所定電位の前記データ信号を、前記第２の回数だけ供給する、
ことを特徴とする電気泳動装置。
【請求項３】
請求項１または２に記載の電気泳動装置を備えた電子機器。
【請求項４】
第１電極、第２電極、及び、前記第１電極及び前記第２電極の間に設けられた帯電粒子を含む電気泳動素子を具備し、データ信号に応じた電圧を前記第１電極及び前記第２電極の間に印加し、所定電位の前記データ信号が所定回数だけ供給されたときに所定階調を表示する画素回路を複数備えた電気泳動装置の駆動方法であって、
第１期間において、表示領域内の各画素回路に対して、当該画素回路の指定階調に応じた前記データ信号を供給し、
前記第１期間の後の第２期間において、前記表示領域のうち書換領域内の各画素回路に対して、当該画素回路の指定階調に応じた前記データ信号を供給し、
前記書換領域内の領域であって前記第２期間において前記所定電位の前記データ信号が前記所定回数だけ供給される領域を第１領域とし、
前記書換領域の外側の領域のうち、前記第１領域に接する領域を含む、前記書換領域に接する領域を緩衝領域とし、
前記書換領域の外側の領域のうち前記緩衝領域に接する領域であって前記第１期間において前記所定電位の前記データ信号が前記所定回数だけ供給される領域を第２領域とし、
前記緩衝領域の一部の領域であって前記第２領域とは離間した領域を第１緩衝領域とし、
前記緩衝領域の一部の領域であって前記第１緩衝領域と前記第２領域の間の領域を第２緩衝領域とした場合に、
前記第２期間又は前記第２期間の前若しくは後に設けられる第３期間において、
前記第１緩衝領域内の各画素回路に対して、
前記所定電位の前記データ信号を、前記所定回数よりも少ない第１の回数だけ供給し、
前記第２緩衝領域内の各画素回路に対して、
前記所定電位の前記データ信号を、前記第１の回数よりも少ない第２の回数だけ供給する、
ことを特徴とする電気泳動装置の駆動方法。
【請求項５】
第１電極、第２電極、及び、前記第１電極及び前記第２電極の間に設けられた帯電粒子を含む電気泳動素子を具備し、データ信号に応じた電圧を前記第１電極及び前記第２電極の間に印加し、所定電位の前記データ信号が所定回数だけ供給されたときに所定階調を表示する複数の画素回路と、
前記複数の画素回路を駆動する駆動部と、
を備えた電気泳動装置に設けられ、
前記駆動部の制御に用いられる制御回路であって、
第１期間において、表示領域内の各画素回路に対して、当該画素回路の指定階調に応じた前記データ信号を供給し、
前記第１期間の後の第２期間において、前記表示領域のうち書換領域内の各画素回路に対して、当該画素回路の指定階調に応じた前記データ信号を供給し、
前記書換領域内の領域であって前記第２期間において前記所定電位の前記データ信号が前記所定回数だけ供給される領域を第１領域とし、
前記書換領域の外側の領域のうち、前記第１領域に接する領域を含む、前記書換領域に接する領域を緩衝領域とし、
前記書換領域の外側の領域のうち前記緩衝領域に接する領域であって前記第１期間において前記所定電位の前記データ信号が前記所定回数だけ供給される領域を第２領域とし、
前記緩衝領域の一部の領域であって前記第２領域とは離間した領域を第１緩衝領域とし、
前記緩衝領域の一部の領域であって前記第１緩衝領域と前記第２領域の間の領域を第２緩衝領域とした場合に、
前記第２期間又は前記第２期間の前若しくは後に設けられる第３期間において、
前記第１緩衝領域内の各画素回路に対して、
前記所定電位の前記データ信号を、前記所定回数よりも少ない第１の回数だけ供給し、
前記第２緩衝領域内の各画素回路に対して、
前記所定電位の前記データ信号を、前記第１の回数よりも少ない第２の回数だけ供給する動作を前記駆動部に実行させる、
ことを特徴とする制御回路。
【発明の詳細な説明】
【技術分野】
【０００１】
本発明は、電気泳動装置、電子機器、電気泳動装置の駆動方法および制御回路に関する。
【背景技術】
【０００２】
例えば特許文献１には、表示画面のうちの一部の画面に表示される画像を書き換えることが可能な表示装置が開示されている。特許文献１に開示された表示装置は、電気泳動を利用して所望の画像を表示させるようにした電気泳動表示装置である。電気泳動表示装置は、電気泳動素子を各々が含む複数の画素を備えている。電気泳動素子の基本的な構造は、一方の電極と他方の電極とを所定の間隔で対向させ、その間に分散系を封入した構成となっている。この両電極間に電位差を与えると、電界の方向によって帯電した微粒子（電気泳動粒子）が何れか一方の電極に引き付けられる。例えば電気泳動粒子を顔料粒子で構成すれば、観測者には電気泳動粒子の色が見えることになる。
【０００３】
また、電気泳動粒子は、両電極間への電圧の印加が停止された後も、当該電気泳動粒子を分散させるための液相分散媒中において一定の位置に長時間滞留することができる。すなわち、電気泳動素子は、両電極間に所定の電圧が印加されたときの表示階調（明るさ）を、当該所定の電圧の印加が停止された後でも維持し得る性質（ここでは「記憶性」と呼ぶ）を有する。このため、電気泳動表示装置では、表示画像を切り替えるときのみ、各電気泳動素子の両電極間に電圧が印加され、表示画像が切り替わった後は、各電気泳動素子の両電極間に対する電圧の印加が停止されるという具合である。
【先行技術文献】
【特許文献】
【０００４】
【特許文献１】特開２００９−２５１９４８号公報
【発明の概要】
【発明が解決しようとする課題】
【０００５】
しかしながら、電気泳動素子の両電極間に対する電圧の印加が停止された後においては、熱拡散等により、その表示階調は徐々に変化していく。このため、上述の特許文献１に開示された電気泳動表示装置において、画像の書き換えを行う部分と書き換えを行わない部分とで表示すべき階調が同じである場合は（例えば背景色が共に「白」である場合など）、その書き換えが行われた後、両者の表示階調に差異が生じるので、両者の境界部分で表示ムラが顕在化するという問題がある。
【０００６】
本発明は、このような事情に鑑みてなされたものであり、表示画像が部分的に書き換えられたときに発生する表示ムラを抑制することを目的とする。
【課題を解決するための手段】
【０００７】
以上の課題を解決するために、本発明に係る電気泳動装置は、第１電極、第２電極、及び、第１電極及び第２電極の間に設けられた帯電粒子を含む電気泳動素子を具備し、データ信号に応じた電圧を第１電極及び第２電極の間に印加する複数の画素回路と、各画素回路を駆動する駆動部と、を備え、各画素回路は、所定電位のデータ信号が所定回数だけ供給されたときに所定階調を表示し、駆動部は、第１期間において、表示領域内の各画素回路に対して、当該画素回路の指定階調に応じたデータ信号を供給し、第１期間の後の第２期間において、表示領域のうち書換領域内の各画素回路に対して、当該画素回路の指定階調に応じたデータ信号を供給し、書換領域内の領域であって第２期間において所定電位のデータ信号が所定回数だけ供給される領域を第１領域とし、書換領域の外側の領域のうち、第１領域に接する領域を含む、書換領域に接する領域を緩衝領域とし、書換領域の外側の領域のうち緩衝領域に接する領域であって第１期間において所定電位のデータ信号が所定回数だけ供給される領域を第２領域とし、緩衝領域の一部の領域であって第２領域とは離間した領域を第１緩衝領域とし、緩衝領域の一部の領域であって第１緩衝領域と第２領域の間の領域を第２緩衝領域とした場合に、第２期間又は第２期間の前若しくは後に設けられる第３期間において、第１緩衝領域内の各画素回路に対して、所定電位のデータ信号を、所定回数よりも少ない第１の回数だけ供給し、第２緩衝領域内の各画素回路に対して、所定電位のデータ信号を、第１の回数よりも少ない第２の回数だけ供給する、ことを特徴とする。
【０００８】
なお、「記憶性を有する電気光学素子」とは、データ信号の供給が停止された後でも、当該データ信号が供給されたときの表示状態をある程度維持し得る性質を有する電気光学素子を意味し、その典型的な例としては、電気泳動素子が挙げられる。
【０００９】
本発明では、所定階調と、第２期間の始点での第２領域の表示階調との中間の階調を含む緩衝領域が、第１領域と第２領域との間に介在するようにすることで、第２期間の始点における第２領域の表示階調が所定階調から乖離していても、第１領域と第２領域との境界部分における表示ムラが顕在化することを抑制できるという利点がある。
また、本発明によれば、緩衝領域のうち第２領域に近い位置ほど、当該位置における表示階調が、第２期間の始点における第２領域の表示階調に近づくので、観察者は、第１領域と第２領域との間の表示階調の差異を認識し難くなる。したがって、第１領域と第２領域との間の境界部分の表示ムラが顕在化することを抑制するという観点からは、この態様は格別に有効である。
【００１０】
本発明に係る電気光学装置の態様として、駆動部は、緩衝領域のうち第２領域に近い位置ほど、当該位置における表示階調が、第２期間の始点における第２領域の表示階調に近づくように、第２期間にて緩衝領域内の複数の画素回路のうちの少なくとも一部にデータ信号を供給する。
【００１１】
この態様によれば、緩衝領域のうち第２領域に近い位置ほど、当該位置における表示階調が、第２期間の始点における第２領域の表示階調に近づくので、観察者は、第１領域と第２領域との間の表示階調の差異を認識し難くなる。したがって、第１領域と第２領域との間の境界部分の表示ムラが顕在化することを抑制するという観点からは、この態様は格別に有効である。
【００１２】
より具体的な態様として、駆動部は、緩衝領域のうち第２領域に近い位置ほど、当該位置における表示階調が、第２期間の始点における第２領域の表示階調に近づくように、第２期間において緩衝領域内の画素回路に供給するデータ信号の供給時間を設定する。例えば、駆動部は、第２期間において、緩衝領域内の複数の画素回路のうちデータ信号を供給すべき画素回路が第２領域に近いほど、当該画素回路に対して所定階調に応じたデータ信号を供給する回数を少なくすることもできる。
【００１３】
本発明に係る電気泳動装置の具体的な態様として、第２期間において、緩衝領域内の複数の画素回路のうちデータ信号が供給される画素回路の数は、第２領域に近いほど少なくなるように設定されてもよい。すなわち、緩衝領域内の複数の画素回路のうちデータ信号が供給される画素回路の数と、データ信号が供給されない画素回路の数との粗密によって、当該緩衝領域内の階調を表現する態様（いわゆる面積階調法）を採用してもよい。
また、本発明に係る電気泳動装置の他の具体的な態様として、駆動部は、第２期間又は第３期間において、第１緩衝領域内の複数の画素回路のうち第１の割合の画素回路に対して、所定電位のデータ信号を、第１の回数だけ供給し、第２緩衝領域内の複数の画素回路のうち第１の割合よりも小さい第２の割合の画素回路に対して、所定電位のデータ信号を、第２の回数だけ供給する、ことを特徴としてもよい。
【００１４】
本発明に係る電気泳動装置は各種の電子機器に利用される。電子機器の典型例は、電気泳動装置を表示装置として利用した機器である。本発明に係る電子機器としてはパーソナルコンピュータ、携帯電話機、電子ペーパーなどが例示される。
【００１５】
本発明は、電気泳動装置の駆動方法として捉えることもできる。本発明に係る電気泳動装置の駆動方法は、第１電極、第２電極、及び、第１電極及び第２電極の間に設けられた帯電粒子を含む電気泳動素子を具備し、データ信号に応じた電圧を第１電極及び第２電極の間に印加し、所定電位のデータ信号が所定回数だけ供給されたときに所定階調を表示する画素回路を複数備えた電気泳動装置の駆動方法であって、第１期間において、表示領域内の各画素回路に対して、当該画素回路の指定階調に応じたデータ信号を供給し、第１期間の後の第２期間において、表示領域のうち書換領域内の各画素回路に対して、当該画素回路の指定階調に応じたデータ信号を供給し、書換領域内の領域であって第２期間において所定電位のデータ信号が所定回数だけ供給される領域を第１領域とし、書換領域の外側の領域のうち、第１領域に接する領域を含む、書換領域に接する領域を緩衝領域とし、書換領域の外側の領域のうち緩衝領域に接する領域であって第１期間において所定電位のデータ信号が所定回数だけ供給される領域を第２領域とし、緩衝領域の一部の領域であって第２領域とは離間した領域を第１緩衝領域とし、緩衝領域の一部の領域であって第１緩衝領域と第２領域の間の領域を第２緩衝領域とした場合に、第２期間又は第２期間の前若しくは後に設けられる第３期間において、第１緩衝領域内の各画素回路に対して、所定電位のデータ信号を、所定回数よりも少ない第１の回数だけ供給し、第２緩衝領域内の各画素回路に対して、所定電位のデータ信号を、第１の回数よりも少ない第２の回数だけ供給する、ことを特徴とする。以上の駆動方法によっても本発明に係る電気泳動装置と同様の効果が得られる。
【００１６】
さらに、本発明は、制御回路の発明として捉えることもできる。本発明に係る制御回路は、第１電極、第２電極、及び、第１電極及び第２電極の間に設けられた帯電粒子を含む電気泳動素子を具備し、データ信号に応じた電圧を第１電極及び第２電極の間に印加し、所定電位のデータ信号が所定回数だけ供給されたときに所定階調を表示する複数の画素回路と、前記複数の画素回路を駆動する駆動部と、を備えた電気泳動装置に設けられ、前記駆動部の制御に用いられる制御回路であって、第１期間において、表示領域内の各画素回路に対して、当該画素回路の指定階調に応じたデータ信号を供給し、第１期間の後の第２期間において、表示領域のうち書換領域内の各画素回路に対して、当該画素回路の指定階調に応じたデータ信号を供給し、書換領域内の領域であって第２期間において所定電位のデータ信号が所定回数だけ供給される領域を第１領域とし、書換領域の外側の領域のうち、第１領域に接する領域を含む、書換領域に接する領域を緩衝領域とし、書換領域の外側の領域のうち緩衝領域に接する領域であって第１期間において所定電位のデータ信号が所定回数だけ供給される領域を第２領域とし、緩衝領域の一部の領域であって第２領域とは離間した領域を第１緩衝領域とし、緩衝領域の一部の領域であって第１緩衝領域と第２領域の間の領域を第２緩衝領域とした場合に、第２期間又は第２期間の前若しくは後に設けられる第３期間において、第１緩衝領域内の各画素回路に対して、所定電位のデータ信号を、所定回数よりも少ない第１の回数だけ供給し、第２緩衝領域内の各画素回路に対して、所定電位のデータ信号を、第１の回数よりも少ない第２の回数だけ供給する動作を駆動部に実行させる、ことを特徴とする。以上の制御回路によっても本発明に係る電気泳動装置と同様の効果が得られる。
【図面の簡単な説明】
【００１７】
【図１】本発明の第１実施形態に係る電気泳動表示装置の概略構成を示す図である。
【図２】同実施形態に係る画素回路の回路図である。
【図３】表示領域内の一部の領域を書き換えるときの様子を説明するための図である。
【図４】図３に示す領域Ｓの拡大図である。
【図５】領域ＳのＹ方向における位置と、当該位置に対応する表示階調との関係を示す図である。
【図６】本発明の第２実施形態に係る領域Ｓの拡大図である。
【図７】第１期間における対比例２の様子を説明するための図である。
【図８】第２期間における対比例２の様子を説明するための図である。
【図９】本発明に係る電子機器の具体的な形態を示す図である。
【発明を実施するための形態】
【００１８】
＜Ａ：第１実施形態＞
図１は、本発明の第１実施形態に係る電気泳動表示装置１００の概略構成を示すブロック図である。図１に示すように、電気泳動表示装置１００は、電気泳動パネル（電気光学パネル）１０と、制御回路２０とを具備する。電気泳動パネル１０は、複数の画素回路Ｐが配列された表示領域（表示画面）３０と、各画素回路Ｐを駆動する駆動部４０とを具備する。駆動部４０は、走査線駆動回路４２とデータ線駆動回路４４とを含んで構成される。制御回路２０は、上位装置から供給される画像データや同期信号に基づいて、走査線駆動回路４２とデータ線駆動回路４４とを総合的に制御する。
【００１９】
表示領域３０には、Ｘ方向に延在するｍ本の走査線３２と、Ｘ方向に交差するＹ方向に延在するｎ本のデータ線３４とが形成される（ｍ，ｎは自然数）。複数の画素回路Ｐは、走査線３２とデータ線３４との交差に配置されて縦ｍ行×横ｎ列の行列状に配列される。
【００２０】
図２は、画素回路Ｐの回路図である。図２においては、第ｉ行（１≦ｉ≦ｍ）の第ｊ列目（１≦ｊ≦ｎ）に位置する１個の画素回路Ｐのみが代表的に図示されている。図２に示すように、画素回路Ｐは、電気泳動素子５０と選択スイッチTsと保持容量Chとを含んで構成される。電気泳動素子５０は、間隔をあけて対向する画素電極５１および対向電極５２と、両者間に配置された複数のマイクロカプセル５３とで構成される。詳細な図示は省略するが、複数のマイクロカプセル５３の各々は、その内部に、電気泳動粒子を分散させるための溶媒（分散媒）と、複数の白色粒子（電気泳動粒子）と、複数の黒色粒子（電気泳動粒子）とを封入した球状体である。ここでは、複数の白色粒子の各々はマイナスに帯電しており、複数の黒色粒子の各々はプラスに帯電している。
【００２１】
本実施形態では、対向電極５２側が観察側となるので、画素電極５１が相対的に低電位、対向電極５２が相対的に高電位の場合は、プラスに帯電した黒色粒子が画素電極５１に引き寄せられる一方、マイナスに帯電した白色粒子は対向電極５２に引き寄せられる。これにより、観察側である対向電極５２側からこの画素回路Ｐを見ると、「白色」が認識される。他方、画素電極５１が相対的に高電位、対向電極５２が相対的に低電位の場合は、マイナスに帯電した白色粒子が画素電極５１に引き寄せられる一方、プラスに帯電した黒色子は対向電極５２に引き寄せられるので、観察側である対向電極５２側からこの画素回路Ｐを見ると、「黒色」が認識されるという具合である。このように、画素電極５１と対向電極５２の間の電圧を、表示したい階調（明るさ）に応じた値に設定して、電気泳動粒子を移動させることで、所望の階調表示を得ることができる。
【００２２】
なお、画素電極５１と対向電極５２との間への電圧の印加を停止すると、クーロン力が作用しなくなるので、電気泳動粒子は溶媒の粘性抵抗によって停止する。電気泳動粒子は、溶媒の粘性抵抗により所定の位置に長時間停留することができるので、所定の電圧が印加されたときの表示状態を、当該所定の電圧の印加が停止された後でも維持し得る性質（記憶性）を有する。
【００２３】
図２に示すように、画素電極５１は、選択スイッチTsの一方の電極に接続される。また、対向電極５２は、接地電位ＧＮＤ（０Ｖ）が供給される給電線６０に接続されるので、対向電極５２の電位は接地電位ＧＮＤに維持される。
【００２４】
選択スイッチTsは、画素電極５１と第ｊ列目のデータ線３４との間に介在して両者の電気的な接続（導通／非導通）を制御する。図２に示すように、例えばＮチャネル型のトランジスタ（例えば薄膜トランジスタ）が選択スイッチTsとして好適に採用される。第ｉ行に属するｎ個の画素回路Ｐの各々の選択スイッチTsのゲートは第ｉ行の走査線３２に対して共通に接続される。
【００２５】
図２に示すように、保持容量Chは、第１電極L1と第２電極L2とを有する。第１電極L1には、画素電極５１および選択スイッチTsに接続される一方、第２電極L2は給電線６０に接続される。
【００２６】
図１に示す走査線駆動回路４２は、走査信号ＧW[１]〜ＧW[ｍ]を各走査線３２に出力する。ここでは、第ｉ行の走査線３２に出力される走査信号をＧW[ｉ]と表記する。走査線駆動回路４２が、走査信号ＧW[ｉ]を所定期間だけアクティブレベル（ハイレベル）に設定することにより、第ｉ行に属するｎ個の画素回路Ｐの選択スイッチTsが一斉にオン状態に変化する。走査信号ＧW[ｉ]のハイレベルへの移行は第ｉ行の走査線３２の選択を意味する。
一方、データ線駆動回路４４は、走査線駆動回路４２が選択した１行分（ｎ個）の画素回路Ｐに対応するデータ電位Ｖｘ[１]〜Ｖｘ[ｎ]を生成して各データ線３４に出力する。ここでは、第ｊ列目のデータ線３４に出力されるデータ電位をＶｘ[ｊ]と表記する。
【００２７】
例えば、第ｉ行の第ｊ列目に位置する画素回路Ｐに対してデータ電位Ｖｘが供給される場合を想定する。この場合、データ線駆動回路４４は、走査線駆動回路４２が第ｉ行の走査線３２を選択するタイミングに同期して、当該画素回路Ｐに対して指定された階調（「指定階調」）に応じた大きさの電圧信号をデータ電位Ｖｘ[ｊ]として第ｊ列目のデータ線３４に出力する。当該データ電位Ｖｘ[ｊ]は、オン状態の選択スイッチTsを介して、当該画素回路Ｐの画素電極５１および保持容量Chに供給される（書き込まれる）。これにより、当該画素回路Ｐの電気泳動素子５０の両端間の電圧（画素電極５１と対向電極５２との間の電圧）は、当該画素回路Ｐの指定階調に応じた値に設定されるという具合である。このように、駆動部４０（走査線駆動回路４２、データ線駆動回路４４）が、第ｉ行の走査線３２を選択するとともに、第ｉ行の第ｊ列目に位置する画素回路Ｐの指定階調に応じた大きさのデータ電位Ｖｘ[ｊ]を第ｊ列目のデータ線３４に出力する動作を、当該画素回路Ｐに対するデータ電位Ｖｘ[ｊ]の書込動作と呼ぶ。
【００２８】
本実施形態に係る電気泳動表示装置１００は、表示領域（表示画面）３０に表示される画像全体を書き換えるだけでなく、その一部の領域に表示される画像を書き換えることも可能である。例えば図３に示すように、表示領域３０のうち、第f行（１＜f＜ｍ）〜第ｇ行（ｆ＜ｇ＜ｍ）に属する画素回路Ｐが配列された領域Ｚに表示される画像を書き換える場合、駆動部４０は、第ｆ行〜第ｇ行の走査線３２を順番に選択し、選択した１行分（ｎ個）の画素回路Ｐの指定階調に応じた大きさのデータ電位Ｖｘ[１]〜Ｖｘ[ｎ]を生成して各データ線３４に出力するという具合である。
【００２９】
いま、表示領域３０のうちの一部の領域Ｚ（以下では、「書換領域Ｚ」と呼ぶ）に表示される画像が書き換えられる場合を想定する。まず、駆動部４０は、書換領域Ｚに表示される画像の書き換えに先立ち、第１期間において、表示領域３０内の各画素回路Ｐに対して、当該画素回路Ｐの指定階調に応じたデータ電位Ｖｘを供給することで、表示領域３０全体に所定の画像を表示する。そして、駆動部４０は、第１期間の後の第２期間において、書換領域Ｚ内の各画素回路Ｐに対して、当該画素回路Ｐの指定階調に応じたデータ電位Ｖｘを供給することで、書換領域Ｚに表示される画像を書き換えるという具合である。以下では、表示領域３０内の特定の領域であって、書換領域Ｚと、書換領域Ｚの外側の領域とに跨る領域Ｓに着目しながら、本実施形態に係る電気泳動表示装置１００の具体的な動作を説明する。
【００３０】
図４は、図３に示す領域Ｓの拡大図である。図４に示すように、領域Ｓは、第１領域Ｇ１と第２領域Ｇ２と緩衝領域Ｇ３とを含んで構成される。第１領域Ｇ１は、書換領域Ｚ内の領域であって、第１期間および第２期間の双方で「白」の階調に応じた大きさのデータ電位Ｖｘが供給される。緩衝領域Ｇ３は、書換領域Ｚの外側の領域のうち第１領域Ｇ１に接する領域である。第２領域Ｇ２は、書換領域Ｚの外側の領域のうち緩衝領域Ｇ３に接する領域であって、第１期間で「白」の階調に応じた大きさのデータ電位Ｖｘが供給される一方、第１期間が終了すると、データ電位Ｖｘの供給は停止される。つまり、第２期間においては、第２領域Ｇ２内の各画素回路Ｐに対してデータ電位Ｖｘは供給されない。緩衝領域Ｇ３は、第１領域Ｇ１と第２領域Ｇ２との間で双方の領域に接する。
【００３１】
前述したように、電気泳動素子５０は記憶性を有するので、第２領域Ｇ２内の各画素回路Ｐは、第１期間が終了してデータ電位Ｖｘの供給が停止されても、当該第１期間にて設定された表示状態（「白」）を、ある程度は維持できる。しかしながら、熱拡散等により白の反射率は徐々に低下していくので、第２期間の始点（第１領域Ｇ１の書換時点）での第２領域Ｇ２の表示階調（実際の明るさ）は、「白」とは異なる階調Ｑとなってしまう。このため、第１領域Ｇ１と第２領域Ｇ２とが接する態様（「対比例」と呼ぶ）では、両者の境界部分で表示ムラが顕在化するという問題が起こる。
【００３２】
これに対して、本実施形態では、第１領域Ｇ１と第２領域Ｇ２との間で双方の領域に接する緩衝領域Ｇ３を設けるとともに、駆動部４０は、緩衝領域Ｇ３の表示階調が、「白」と、第２期間の始点での第２領域Ｇ２の表示階調Ｑとの中間の階調を含むように、第２期間にて緩衝領域Ｇ３内の各画素回路Ｐに対してデータ電位Ｖｘを供給する。以下、その具体的な内容について説明する。
【００３３】
本実施形態における駆動部４０は、書換領域Ｚに表示される画像を書き換える場合は、当該書換領域Ｚ内の各画素回路Ｐに対して、当該画素回路の指定階調に応じたデータ電位Ｖｘの書込動作を４回行うことで、画像の書き換えを実施する。例えば、書換領域Ｚ内のある画素回路Ｐの表示階調を「白」に書き換える場合は、当該画素回路Ｐに対して、「白」に応じた大きさのデータ電位Ｖｘの書込動作を４回行わない限り、当該画素回路Ｐの電気泳動粒子は、表示状態が「白」となる位置に到達しない。したがって、図４に示すように、駆動部４０は、第２期間において、第１領域Ｇ１内の各画素回路Ｐに対しては、「白」に応じた大きさのデータ電位Ｖｘの書込動作を４回ずつ行うという具合である。
【００３４】
一方、駆動部４０は、緩衝領域Ｇ３のうち第２領域Ｇ２に近い位置ほど、当該位置における表示階調が、第２領域Ｇ２の表示階調Ｑに近づくように、第２期間において緩衝領域Ｇ３内の各画素回路Ｐに供給するデータ電位Ｖｘの供給時間を設定する。より具体的には、駆動部４０は、第２期間において、緩衝領域Ｇ３内の各画素回路Ｐに対しては、当該画素回路Ｐの位置が第２領域Ｇ２に近いほど、「白」に応じた大きさのデータ電位Ｖｘの書込動作の回数を少なくする。さらに詳述すると、図４に示すように、駆動部４０は、第２期間において、緩衝領域Ｇ３のうち、第１領域Ｇ１側から数えて第１番目の行Ｌ１および第２番目の行Ｌ２に属する画素回路Ｐに対しては、「白」に応じた大きさのデータ電位Ｖｘの書込動作を３回行い、第３番目の行Ｌ３および第４番目の行Ｌ４に属する画素回路Ｐに対しては、「白」に応じた大きさのデータ電位Ｖｘの書込動作を２回行い、第５番目の行Ｌ５および第６番目の行Ｌ６に属する画素回路Ｐに対しては、「白」に応じた大きさのデータ電位Ｖｘの書込動作を１回だけ行うという具合である。
【００３５】
図５は、領域ＳのＹ方向における位置と、当該位置に対応する表示階調（実際の明るさ）との関係を示す図である。図５では、第２期間において「白」に応じた大きさのデータ電位Ｖｘの書込動作が４回行われた第１領域Ｇ１の表示階調をＷと表記する一方、緩衝領域Ｇ３のうち、第２期間において「白」に応じた大きさのデータ電位Ｖｘの書込動作が３回行われた行Ｌ１および行Ｌ２の表示階調をＤ１、第２期間において「白」に応じた大きさのデータ電位Ｖｘの書込動作が２回行われた行Ｌ３および行Ｌ４の表示階調をＤ２、第２期間において「白」に応じた大きさのデータ電位Ｖｘの書込動作が１回だけ行われた行Ｌ５および行Ｌ６の表示階調をＤ３と表記している。
【００３６】
第２期間での「白」に応じたデータ電位Ｖｘの書込動作の回数が少ない画素回路Ｐほど、その表示階調は第１領域Ｇ１の表示階調Ｗから乖離して、第２期間でデータ電位Ｖｘが供給されない第２領域Ｇ２の表示階調Ｑに近づくので、図５からも理解されるように、緩衝領域Ｇ３における位置が第１領域Ｇ１側から第２領域Ｇ２側へ近づくにつれて、当該位置における表示階調は、第２領域Ｇ２の表示階調Ｑに近づくという具合である。これにより、観察者は、第１領域Ｇ１と第２領域Ｇ２との間の表示階調の差異を認識し難くなるので、本実施形態によれば、第１領域Ｇ１と第２領域Ｇ２との境界部分の表示ムラが顕在化することを、対比例に比べて抑制できるという利点がある。
【００３７】
＜Ｂ：第２実施形態＞
次に、本発明の第２実施形態について説明する。なお、第２実施形態において作用や機能が第１実施形態と同等である要素については、第１実施形態と同じ符号を付して各々の詳細な説明を適宜に省略する。第２実施形態では、第２期間において、緩衝領域Ｇ３内の複数の画素回路Ｐのうちデータ電位Ｖｘが供給される画素回路Ｐの数は、第２領域Ｇ２に近いほど少なくなるように設定される点で上述の第１実施形態と相違する。より具体的には、第２実施形態では、緩衝領域Ｇ３内の複数の画素回路Ｐのうち、第２期間において「白」に応じた大きさのデータ電位Ｖｘの書込動作が４回行われる画素回路Ｐの数と、第２期間においてデータ電位Ｖｘが供給されない（書込動作回数＝０回）画素回路Ｐの数との粗密によって、当該緩衝領域Ｇ３の階調が表現され（いわゆる面積階調法）、緩衝領域Ｇ３の面積階調的な明るさは、第１領域Ｇ１側から第２領域Ｇ２側へ近づくにつれて、第２領域Ｇ２の表示階調Ｑに近づくように設定されるという具合である。
【００３８】
以下、図６（上述の図４に対応）を参照しながら、緩衝領域Ｇ３内の各行（Ｌ１〜Ｌ６）に属する画素回路Ｐのうち１２列分の画素回路Ｐに着目して、本実施形態に係る電気泳動表示装置の動作を説明する。図６において、緩衝領域Ｇ３内の各行（Ｌ１〜Ｌ６）に属する画素回路Ｐのうち１２列分の画素回路Ｐの集合をＵと表記する。駆動部４０は、第２期間において、集合Ｕ内の行（Ｌ１〜Ｌ６）のうち第２領域Ｇ２に近い行ほど、「白」に応じた大きさのデータ電位Ｖｘを供給する画素回路Ｐの数を少なくしている。より具体的には以下のとおりである。
【００３９】
第１番目の行Ｌ１については、駆動部４０は、当該行Ｌ１に属する１２個の画素回路Ｐのうち１１個の画素回路Ｐに対して、「白」に応じた大きさのデータ電位Ｖｘの書込動作を４回行う一方、残りの１個の画素回路Ｐに対しては、第２領域Ｇ２と同様に、データ電位Ｖｘの供給を行わない（書込動作回数＝０回）。第２番目の行Ｌ２については、駆動部４０は、当該行Ｌ２に属する１２個の画素回路Ｐのうち９個の画素回路Ｐに対して、「白」に応じた大きさのデータ電位Ｖｘの書込動作を４回行う一方、残りの３個の画素回路Ｐに対してはデータ電位Ｖｘの供給は行わない。第３番目の行Ｌ３については、駆動部４０は、当該行Ｌ３に属する１２個の画素回路Ｐのうち７個の画素回路Ｐに対して、「白」に応じた大きさのデータ電位Ｖｘの書込動作を４回行う一方、残りの５個の画素回路Ｐに対してはデータ電位Ｖｘの供給は行わない。
【００４０】
第４番目の行Ｌ４については、駆動部４０は、当該行Ｌ４に属する１２個の画素回路Ｐのうち５個の画素回路Ｐに対して、「白」に応じた大きさのデータ電位Ｖｘの書込動作を４回行う一方、残りの７個の画素回路Ｐに対してはデータ電位Ｖｘの供給は行わない。第５番目の行Ｌ５については、駆動部４０は、当該行Ｌ５に属する１２個の画素回路Ｐのうち３個の画素回路Ｐに対して、「白」に応じた大きさのデータ電位Ｖｘの書込動作を４回行う一方、残りの９個の画素回路Ｐに対してはデータ電位Ｖｘの供給は行わない。第６番目の行Ｌ６については、駆動部４０は、当該行Ｌ６に属する１２個の画素回路Ｐのうち１個の画素回路Ｐに対して、「白」に応じた大きさのデータ電位Ｖｘの書込動作を４回行う一方、残りの１１個の画素回路Ｐに対してはデータ電位Ｖｘの供給は行わないという具合である。
【００４１】
見方を変えれば、集合Ｕ内の各行（Ｌ１〜Ｌ６）のうち第２領域Ｇ２に近い行ほど、第２期間においてデータ電位Ｖｘが供給されない画素回路Ｐの数は多くなる。第２期間にてデータ電位Ｖｘの供給が行われない画素回路Ｐの表示階調は、第２領域Ｇ２と同じ表示階調Ｑになるので、図６からも理解されるように、緩衝領域Ｇ３においては、第２領域Ｇ２に近いほど、表示階調Ｑの画素（第２期間においてデータ電位Ｖｘが供給されない画素回路Ｐ）が密になる。これにより、緩衝領域Ｇ３の面積階調的な明るさは、第１領域Ｇ１側から第２領域Ｇ２側にかけて次第に第２領域Ｇ２の表示階調Ｑに近づくという具合である。この形態であっても、観察者は、第１領域Ｇ１と第２領域Ｇ２との間の表示階調の差異を認識し難くなるので、第１領域Ｇ１と第２領域Ｇ２との境界部分の表示ムラが顕在化することを効果的に防止できる。
【００４２】
なお、以上に説明した態様では、集合Ｕに属する複数の画素回路Ｐのうち、第２期間でデータ電位Ｖｘが供給されない画素回路Ｐ（表示階調Ｑの画素回路Ｐ）の集合が略三角形状になっているが、これに限られるものではない。要するに、緩衝領域Ｇ３においては、第２領域Ｇ２に近いほど、表示階調Ｑの画素が密になるものであればよく、例えば、各行毎にピッチが異なる態様（破線様）でも良い。
【００４３】
＜Ｃ：変形例＞
本発明は上述した実施形態に限定されるものではなく、例えば、以下の変形が可能である。また、以下に示す変形例のうちの２以上の変形例を組み合わせることもできる。
【００４４】
（１）変形例１
上述の第１実施形態と第２実施形態とを組み合わせてもよい。つまり、駆動部４０は、第２期間において、緩衝領域Ｇ３内の複数の行（画素回路Ｐの集合）のうち第２領域Ｇ２に近い行ほど、「白」に応じた大きさのデータ電位Ｖｘの書込動作の回数を少なくするとともに、当該書込動作が行われる画素回路Ｐの数を少なくすることもできる。
【００４５】
（２）変形例２
上述の第１実施形態では、緩衝領域Ｇ３は、６行分の画素回路Ｐで構成される態様が例示されているが、これに限らず、緩衝領域Ｇ３を構成する行数は任意である。例えば緩衝領域Ｇ３が１行分の画素回路Ｐで構成されてもよい。この態様であっても、駆動部４０は、第２期間において、緩衝領域Ｇ３の表示階調が、「白」と、第２領域Ｇ２の表示階調Ｑとの中間の階調となるように、当該緩衝領域Ｇ３内の１行分の画素回路Ｐにデータ電位Ｖｘを供給することができる。例えば、駆動部４０は、第２期間において、緩衝領域Ｇ３内の１行分の画素回路Ｐに対しては、「白」に応じた大きさのデータ電位Ｖｘの書込動作を１〜３回行うという態様であってもよい。要するに、書換領域Ｚ内の領域であって、第１期間の後の第２期間において所定階調に応じたデータ電位Ｖｘが供給される領域を第１領域Ｇ１とし、書換領域Ｚの外側の領域のうち第１領域Ｇ１に接する領域を緩衝領域Ｇ３とし、書換領域Ｚの外側の領域のうち緩衝領域Ｇ３に接する領域であって第１期間で所定階調に応じたデータ電位Ｖｘが供給される領域を第２領域Ｇ２とした場合に、駆動部４０は、第２期間において、緩衝領域Ｇ３の表示階調が、所定階調と第２期間の始点での第２領域Ｇ２の表示階調との中間の階調を含むように、緩衝領域Ｇ３にデータ電位Ｖｘを供給するものであればよい。
【００４６】
（３）変形例３
上述の各実施形態では、第１領域Ｇ１および第２領域Ｇ２にて表示すべき所定階調（より詳しくは、第２期間において第１領域Ｇ１に供給されるデータ電位Ｖｘ、および第１期間において第２領域Ｇ２に供給されるデータ電位Ｖｘの各々が対応する所定階調）は「白」であるが、ここでの「所定階調」はこれに限らず、任意である。例えば、第１領域Ｇ１および第２領域Ｇにて表示すべき階調が「黒」である態様であってもよい。この態様であっても、第１期間が終了して第２領域Ｇ２に対するデータ電位Ｖｘの供給が停止されると、熱拡散等により、第２領域Ｇ２における「黒」の反射率は徐々に上昇していくので、第２期間の始点（第１領域Ｇ１の書換時点）での第２領域Ｇ２の表示階調は、「黒」とは異なる階調となる。したがって、第１領域Ｇ１と第２領域Ｇ２とが接する態様（「対比例」）では、両者の境界部分で表示ムラが顕在化するという問題が起こるが、上述の各実施形態と同様に、駆動部４０は、第１領域Ｇ１と第２領域Ｇ２との間で双方の領域に接する緩衝領域Ｇ３の表示階調が、「黒」と、第２期間の始点での第２領域Ｇ２の表示階調との中間の階調を含むように、第２期間にて緩衝領域Ｇ３内の画素回路Ｐにデータ電位Ｖｘを供給することで、第１領域Ｇ１と第２領域Ｇ２との境界部分の表示ムラが顕在化することを、対比例に比べて抑制できる。なお、「所定階調」は、白、黒の他に、白と黒との間の中間階調であってもよい。
【００４７】
また、表示領域３０内に、「所定階調」が白である部分と黒である部分との双方が含まれる態様であってもよい。すなわち、表示領域３０内のある部分においては、第１領域Ｇ１および第２領域Ｇ２にて表示すべき所定階調を「白」に設定し、緩衝領域Ｇ３において、第１領域Ｇ１と第２領域Ｇ２との輝度差を視認しにくくするための表示を行う一方、表示領域３０内の他の部分においては、第１領域Ｇ１および第２領域Ｇ２にて表示すべき所定階調を「黒」に設定し、緩衝領域Ｇ３において、第１領域Ｇ１と第２領域Ｇ２との輝度差を視認しにくくするための表示を行う、といった態様であってもよい。この場合、所定階調の組み合わせは上記のような白、黒のみに限られず、中間調を含んでいてもよい。
【００４８】
このように所定階調が白である部分と黒である部分とが並存している場合において、所定階調が黒の部分に対応する緩衝領域Ｇ３については、上述の各実施形態のように輝度差を視認しにくくするための表示を行ってもよいし、保持容量Chの電気エネルギーを０に設定しても良い（すなわち、第２期間において書込動作を行わない態様であってもよい）。
前者の場合には、黒の濃さが第１領域Ｇ１から第２領域Ｇ２に向かって薄くなり、「白」の場合と同様に表示ムラの顕在化を抑制できる。
一方、後者の場合には、第２領域Ｇ２と緩衝領域Ｇ３の黒の濃さは同じであり、第１領域Ｇ１の黒の濃さと異なることになるので、所定階調が黒の部分については「対比例」と同様の状態となる。しかし、例えば、白地に黒い文字を表示させるような場合においては、黒の占める表示割合が少ないために、黒の表示ムラは殆ど視認されない。従って、制御回路２０等を簡素化する等の目的で、この後者の制御を行っても構わない。
また、上述の各実施形態では、緩衝領域Ｇ３の制御は第１期間の後の第２期間において書換領域Ｚの制御と同時に行っていたが、これに代えて、第２期間の前又は後に設けられる第３期間において制御してもよい。例えば、緩衝領域Ｇ３の制御は、書換領域Ｚの制御より前、後、あるいは一部が重なった期間で制御しても構わない。
【００４９】
（４）変形例４
上述の第１実施形態では、駆動部４０は、第２期間において、緩衝領域Ｇ３内の各画素回路Ｐに対しては、当該画素回路Ｐの位置が第２領域Ｇ２に近いほど、「白」に応じた大きさのデータ電位Ｖｘの書込動作の回数を少なくしているが、これに限らず、例えば駆動部４０は、第２期間において、緩衝領域Ｇ３内の各画素回路Ｐに対するデータ電位Ｖｘの書込動作の回数を第１領域Ｇ１と同じ回数（例えば４回）としたうえで、緩衝領域Ｇ３内の各画素回路Ｐに対して供給するデータ電位Ｖｘの値を当該画素回路Ｐの表示すべき階調に応じた値（つまり「白」とは異なる値）に設定することもできる。例えば、駆動部４０は、第２期間において、緩衝領域Ｇ３内の第１番目の行Ｌ１および第２番目の行Ｌ２に属する画素回路Ｐに対しては、当該画素回路Ｐの表示すべき階調「Ｄ１」（図５参照）に応じた大きさのデータ電位Ｖｘの書込動作を４回行い、第３番目の行Ｌ３および第４番目の行Ｌ４に属する画素回路Ｐに対しては、当該画素回路Ｐの表示すべき階調「Ｄ２」に応じた大きさのデータ電位Ｖｘの書込動作を４回行い、第５番目の行Ｌ５および第６番目の行Ｌ６に属する画素回路Ｐに対しては、当該画素回路Ｐの表示すべき階調「Ｄ３」に応じた大きさのデータ電位Ｖｘの書込動作を４回行うという態様であってもよい。
【００５０】
（５）変形例５
上述の各実施形態では、駆動部４０は、書換領域Ｚに表示される画像を書き換える場合は、当該書換領域Ｚ内の各画素回路Ｐに対して、当該画素回路の指定階調に応じたデータ電位Ｖｘの書込動作を４回行うことで、画像の書き換えを実施しているが、この「４回」という書込動作の回数は一例であって、これに限られるものではない。
【００５１】
（６）変形例６
書換領域Ｚは、上述の各実施形態のように、ある所定行の全ての画素を含む領域でなくてもよく、窓状の領域や、所定列の全ての画素を含む領域など、任意の形状とすることができる。要するに、第１領域Ｇ１と第２領域Ｇ２との間に緩衝領域Ｇ３を設け、第１領域Ｇ１と第２領域Ｇ２とで対応する少なくとも一つの表示階調について、両表示階調の中間の階調を含むように、緩衝領域Ｇ３内の画素回路Ｐにデータ電位Ｖｘを供給するものであればよい。
【００５２】
（７）変形例７
上述の各実施形態では、第１領域Ｇ１には、第１期間および第２期間の双方で「白」の階調に応じた大きさのデータ電位Ｖｘが供給されているが、これに限らず、例えば第１領域Ｇ１には、第１期間にて「黒」の階調に応じた大きさのデータ電位Ｖｘが供給される一方、第２期間にて「白」の階調に応じた大きさのデータ電位Ｖｘが供給されてもよい。
図７および図８は、前述の対比例（第１領域Ｇ１と第２領域Ｇ２とが接する態様）の他の例（ここでは、「対比例２」と呼ぶ）を説明するための図である。図７および図８に示すように、第１領域Ｇ１には、第１期間にて「黒」の階調に応じた大きさのデータ電位Ｖｘが供給される一方、第２期間にて「白」の階調に応じた大きさのデータ電位Ｖｘが供給される。つまりは、第２期間において、第１領域Ｇ１の表示状態は「白」に書き換えられる。
【００５３】
一方、図７および図８に示すように、第２領域Ｇ２には、第１期間で「白」の階調に応じた大きさのデータ電位Ｖｘが供給される一方、第１期間が終了すると、データ電位Ｖｘの供給が停止されるので、前述の各態様と同様に、第２期間の始点（第１領域Ｇ１の書換時点）での第２領域Ｇ２の表示階調は、「白」とは異なる階調Ｑとなる。つまり、この対比例２でも、第１領域Ｇ１と第２領域Ｇ２との境界部分で表示ムラが顕在化するという問題が起こるが、上述の各実施形態と同様に、第１領域Ｇ１と第２領域Ｇ２との間で双方の領域に接する緩衝領域Ｇ３を設けるとともに、駆動部４０は、第２期間において、緩衝領域Ｇ３の表示階調が、「白」と表示階調Ｑとの中間の階調を含むように、緩衝領域Ｇ３内にデータ電位Ｖｘを供給することで、第１領域Ｇ１と第２領域Ｇ２との境界部分の表示ムラが顕在化することを抑制できる。つまり、本発明は、対比例２のような構成に対して適用することも可能であり、この場合においても顕著な効果を奏する。
【００５４】
要するに、書換領域Ｚ内の領域であって、第２期間において所定階調に応じたデータ電位Ｖｘが供給される領域を第１領域Ｇ１とし、書換領域Ｚの外側の領域のうち第１領域Ｇ１に接する領域を緩衝領域Ｇ３とし、書換領域Ｚの外側の領域のうち緩衝領域Ｇ３に接する領域であって第１期間で所定階調に応じたデータ電位Ｖｘが供給される領域を第２領域Ｇ２とした場合に、駆動部４０は、第２期間において、緩衝領域Ｇ３の表示階調が、所定階調と第２期間の始点での第２領域Ｇ２の表示階調との中間の階調を含むように、緩衝領域Ｇ３にデータ電位Ｖｘを供給するものであればよく、第１期間における第１領域Ｇ１の階調は任意である。
【００５５】
（８）変形例８
上述の各実施形態では、各画素回路Ｐが有する電気光学素子の一例として電気泳動素子５０を取り上げたが、これに限らず、各画素回路Ｐが有する電気光学素子は、記憶性を有する電気光学素子であればよく、その種類は任意である。また、各画素回路Ｐの回路構成も各実施形態で説明した構成に限定するものではなく、電気光学素子に対する電気エネルギーの供給の可否を制御可能な回路構成であればよい。
【００５６】
（９）変形例９
上述の各実施形態では、マイクロカプセル５３内に封止された電気泳動粒子（帯電粒子）は、マイナスに帯電した白色粒子とプラスに帯電した黒色粒子とで構成されているが、例えば白色粒子がプラスに帯電される一方、黒色粒子がマイナスに帯電される態様であってもよい。また、白色粒子および黒色粒子に代えて、例えば赤色、緑色、青色などの顔料からなる粒子を電気泳動粒子として用いることも可能である。
【００５７】
また、着色した溶媒中に単色粒子を分散させる態様であってもよい。例えば黒色に着色された溶媒中に白色粒子を分散させてもよいし、白色に着色された溶媒中に黒色粒子を分散させてもよい。さらに、３色以上の粒子を溶媒に分散させる態様であってもよい。
【００５８】
（１０）変形例１０
上述の各実施形態では、帯電粒子（電気泳動粒子）が封入されたマイクロカプセル５３が、画素電極５１と対向電極５２との間に配置される態様（いわゆるマイクロカプセル型の電気泳動素子）が例示されているが、これに限らず、例えば画素ごとに隔壁（セパレータ）で仕切られた空間に帯電粒子が直接封入される態様（いわゆる隔壁型の電気泳動素子）であってもよい。
【００５９】
＜Ｄ：応用例＞
次に、以上に説明した各実施形態に係る電気泳動表示装置を利用した電子機器について説明する。
図９は、以上に説明した各実施形態に係る電気泳動表示装置を利用した電子ペーパー１０００の構成を示す図である。電子ペーパー１０００は、以上に説明した電気泳動表示装置を表示領域１０１０に備えている。電子ペーパー１０００は可撓性を有し、従来の紙と同様の質感および柔軟性を有する書き換え可能なシートからなる本体１０２０を備えて構成されている。電子ペーパー１０００には、本発明に係る電気泳動表示装置が採用されているので、良好な表示品質を確保することができる。
【００６０】
なお、本発明に係る電気泳動表示装置が適用される電子機器としては、図９に示した電子ペーパー１０００には限定されず、本発明に係る電気泳動表示装置は様々な電子機器に適用することが可能である。例えば、本発明に係る電気泳動表示装置が適用される電子機器としては、電子ノート、腕時計、携帯電話、携帯用オーディオ機器などが挙げられる。
【符号の説明】
【００６１】
１０……電気泳動パネル、２０……制御回路、３０……表示領域、４０……駆動部、４２……走査線駆動回路、４４……データ線駆動回路、５０……電気泳動素子、５１……画素電極、５２……対向電極、５３……マイクロカプセル、６０……給電線、１００……電気泳動表示装置、Ch……保持容量、Ｇ１……第１領域、Ｇ２……第２領域、Ｇ３……緩衝領域、保持容量、Ｌ１……第１電極、Ｌ２……第２電極、ＧW……走査信号、Ｐ……画素回路、Ts……選択スイッチ、Ｖｘ……データ電位、Ｚ……書換領域。
【図１】
0005527020.tif 000002
【図２】
0005527020.tif 000003
【図３】
0005527020.tif 000004
【図４】
0005527020.tif 000005
【図５】
0005527020.tif 000006
【図６】
0005527020.tif 000007
【図７】
0005527020.tif 000008
【図８】
0005527020.tif 000009
【図９】
0005527020.tif 000010